(57)【要約】【課題】フラッシュランプの電極部の冷却を促進する。【解決手段】導風口５８を形成することで別の流路を設け、導風板６０により、導風口５８を通過した空気を、第２電極部４２Ｂに当てる。導風口５８を通過する空気は、第１電極部４２Ａ及びフラッシュランプ３８のガラス管３９の部分を通過していないので、冷えており、支持部４５が邪魔になることもない。これにより、下流側の第２電極部４２Ｂも冷却され、フラッシュランプ３８の電極部の冷却を促進できる。【選択図】図３
2008089739.tif 000002
【特許請求の範囲】
【請求項１】
閃光を照射するフラッシュランプと、
前記フラッシュランプの長手方向に沿って、前記フラッシュランプの一方の第１電極部から他方の第２電極部へ空気が通風可能な通風路と、
前記通風路に設けられ、外気が流入可能な流入口と、
前記通風路の下流側に設けられ、前記流入口から外気を前記通風路へ流入させる吸引手段と、
前記通風路に設けられ、外気を前記第２電極部へ導風可能な導風口と、
前記導風口から前記通風路へ突設され、前記第２電極部へ外気を導く導風板と、
を備えたことを特徴とするフラッシュ定着装置。
【請求項２】
前記導風板は、少なくとも一部が、前記第２電極部に対して垂直に形成されていることを特徴とする請求項１に記載のフラッシュ定着装置。
【請求項３】
前記通風路は、前記外気を前記第１電極部に対して垂直に通風させてから、その空気を前記第１電極部から前記第２電極部へ通風可能であることを特徴とする請求項１又は請求項２に記載のフラッシュ定着装置。
【請求項４】
請求項１〜３のいずれか１項に記載のフラッシュ定着装置を備えたことを特徴とする画像形成装置。
【発明の詳細な説明】
【技術分野】
【０００１】
本発明は、フラッシュ定着装置及び画像形成装置に関する。
【背景技術】
【０００２】
記録媒体へ転写されたトナー画像をその記録媒体へ定着させる定着装置としては、フラッシュ定着装置が知られている。
【０００３】
フラッシュ定着装置では、フラッシュランプを発光させ、記録媒体に転写されたトナー画像に閃光を照射させることにより、光エネルギーを熱エネルギーに変換させ、その熱により、トナーを融解し、記録媒体へ定着させる。
【０００４】
フラッシュランプでは、その両端部にある電極間に高電圧を掛け、ランプ管の周囲に高電圧を掛けたトリガーワイヤを配置することで、ランプ管内をプラズマ化し、これを利用して、電極間でプラズマ放電を起こさせて、発光させる。
【０００５】
このプラズマ放電を行う際に、電極部が発熱する。フラッシュランプは、電極部の発熱を放置すると、ガラス管が破壊してしまい、封入している不活性ガス（キセノンランプならキセノン）が漏れ出し、プラズマ放電ができなくなる。
【０００６】
そこで、フラッシュランプを冷却する必要がある。フラッシュランプの一端から他端方向へ冷却風を導入するように構成されたフラッシュ定着装置が公知である（特許文献１参照）。
【０００７】
この方法は、フラッシュランプの本数が１本の場合や、複数の場合でも、フラッシュランプ同士の距離が十分に確保されている場合は、電極部を十分冷却することができる。
【特許文献１】特開平５−６１３７８号公報
【発明の開示】
【発明が解決しようとする課題】
【０００８】
しかしながら、フラッシュランプの本数が複数の場合で、フラッシュランプ同士の距離が短いと、ランプを保持する部材が邪魔になり、下流側にある電極部へ空気が流れにくく、冷却不十分になる。また、ランプの本数が増えると、ランプ管を冷却した排熱が下流側に流れるため、このことでも、下流側にある電極部が冷却不十分になる。
【０００９】
本発明は、上記事実を考慮し、フラッシュランプの電極部の冷却を促進できるフラッシュ定着装置及び画像形成装置を提供することを目的とする。
【課題を解決するための手段】
【００１０】
本発明の請求項１に係るフラッシュ定着装置は、閃光を照射するフラッシュランプと、前記フラッシュランプの長手方向に沿って、前記フラッシュランプの一方の第１電極部から他方の第２電極部へ空気が通風可能な通風路と、前記通風路に設けられ、外気が流入可能な流入口と、前記通風路の下流側に設けられ、前記流入口から外気を前記通風路へ流入させる吸引手段と、前記通風路に設けられ、外気を前記第２電極部へ導風可能な導風口と、前記導風口から前記通風路へ突設され、前記第２電極部へ外気を導く導風板と、を備えたことを特徴とする。
【００１１】
この構成によれば、通風路の下流側に設けられた吸引手段が、流入口から外気を通風路へ流入させる。通風路に流入した空気は、フラッシュランプの一方の第１電極部から他方の第２電極部へ通風する。
【００１２】
これにより、フラッシュランプ及び、フラッシュランプの第１電極部及び第２電極部が冷却される。ところで、通風路の下流側にある第２電極部へは、第１電極部やフラッシュランプで暖まられた空気が流れてくるため、冷えにくい。
【００１３】
これに対して、請求項１の構成では、導風口から通風路へ突設された導風板が、通風路に設けられた導風口から第２電極部へ外気を導く。これにより、下流側にある第２電極部も冷却され、フラッシュランプの電極部の冷却を促進できる。
【００１４】
本発明の請求項２に係るフラッシュ定着装置は、請求項１の構成において、前記導風板は、少なくとも一部が、前記第２電極部に対して垂直に形成されていることを特徴とする。
【００１５】
この構成によれば、導風板は、少なくとも一部が、第２電極部に対して垂直に形成されているため、空気が第２電極部に対して垂直にあたる。これにより、第２電極部を効率よく冷却する。
【００１６】
本発明の請求項３に係るフラッシュ定着装置は、請求項１又は請求項２の構成において、前記通風路は、前記外気を前記第１電極部に対して垂直に通風させてから、その空気を前記第１電極部から前記第２電極部へ通風可能であることを特徴とする。
【００１７】
この構成によれば、通風路は、外気を第１電極部に対して垂直に通風させるため、空気が第１電極部に対して垂直にあたる。これにより、第１電極部を効率よく冷却する。
【００１８】
本発明の請求項４に係る画像形成装置は、請求項１〜３のいずれか１項に記載のフラッシュ定着装置を備えたことを特徴とする。
【発明の効果】
【００１９】
本発明は、上記構成としたので、フラッシュランプの電極部の冷却を促進できる。
【発明を実施するための最良の形態】
【００２０】
以下に、本発明に係る実施形態の一例を図面に基づき説明する。
【００２１】
（本実施形態に係る画像形成装置の全体構成）
まず、本実施形態に係る画像形成装置の全体構成を説明する。図１には、本実施形態に係る画像形成装置の全体構成が概略図にて示されている。
【００２２】
本実施形態に係る画像形成装置１０は、図１に示すように、記録媒体Ｐを収容する記録媒体収容部２８を備えている。本実施形態においては、記録媒体Ｐとして、長尺な帯状に形成された連続用紙が用いられている。この連続用紙は、画像が形成された後に、所定の大きさに切断される用紙である。なお、記録媒体Ｐとしては、例えば、予め所定の大きさに形成された用紙（いわゆるカット紙）であってもよく、画像が形成される記録媒体であればよい。
【００２３】
記録媒体Ｐは、記録媒体収容部２８に折り畳まれて収容され、この収容された記録媒体Ｐは、画像形成装置１０内に形成された搬送路３２を、搬送装置３４によって搬送される。
【００２４】
本実施形態においては、搬送装置３４として、記録媒体Ｐを挟持して回転する一対の搬送ロールが用いられている。なお、搬送装置３４としては、例えば、記録媒体Ｐの幅方向両端部（側縁部）に長手方向へ沿って形成された複数の送り孔にピンを係合させて搬送する搬送装置であってもよく、記録媒体Ｐを搬送する搬送装置であればよい。
【００２５】
記録媒体Ｐが搬送される搬送路３２に沿って、搬送方向上流側から順に、所定方向（図１において時計回り方向）へ回転する感光体ドラム１２と、フラッシュランプ３８を備えたフラッシュ定着装置３０とが設けられている。
【００２６】
感光体ドラム１２の周囲には、感光体ドラム１２の回転方向上流側から順に、感光体ドラム１２の表面を帯電させる帯電装置１４と、帯電した感光体ドラム１２を露光して感光体ドラム１２の表面に静電潜像を形成する露光装置１６と、感光体ドラム１２の表面に形成された静電潜像を現像してトナー画像を形成する現像装置１８と、感光体ドラム１２に残留した残留トナーをクリーニングするクリーナブレード２２と、感光体ドラム１２の表面を除電する除電装置２０と、感光体ドラム１２に残留した残留トナーをクリーニングするクリーナブラシ２４とが設けられている。
【００２７】
また、感光体ドラム１２に対向する位置には、搬送路３２を挟んで、感光体ドラム１２に形成されたトナー画像を記録媒体Ｐへ転写する転写装置２６が設けられている。
【００２８】
フラッシュ定着装置３０は、フラッシュランプ３８を発光させることにより、記録媒体Ｐへ閃光を照射し、記録媒体Ｐに転写されたトナー画像を定着させる。フラッシュ定着装置３０には、フラッシュ定着装置３０の駆動制御する駆動制御部３６が接続されている。駆動制御部３６は、フラッシュ定着装置３０へ給電される電圧量や電流量、その給電するタイミングなどを制御することにより、フラッシュランプ３８の光量や発光タイミングを制御する。
【００２９】
フラッシュ定着装置３０により、トナー画像が定着された記録媒体Ｐは、更に、下流側へ搬送され、記録媒体Ｐを収容する記録媒体収容部３７に折り畳まれて収容される。
【００３０】
（本実施形態に係るフラッシュ定着装置の構成）
図２には、フラッシュ定着装置３０の構成が、フラッシュランプ３８の軸方向から見た部分断面図にて示されている。図３には、フラッシュ定着装置３０の構成が、フラッシュランプ３８の軸方向と直交する方向から見た部分断面図にて示されている。
【００３１】
本実施形態に係るフラッシュ定着装置３０は、図２及び図３に示すように、各構成部品を収容するケーシング４０を備えている。ケーシング４０は、画像形成装置１０の本体フレーム１３に固定され、下部が開口部４０Ａした箱形状に形成されている。開口部４０Ａには、後述のガラス板４６が設けられる。
【００３２】
ケーシング４０の中央部には、ケーシング４０内の空間を上下に仕切る仕切板４３が設けられている。仕切板４３の一端部（図２において右端部）は、ケーシング４０の内壁に取り付けられている。仕切板４３の他端部（図２において左端部）は、ケーシング４０の内壁に固定された取付け部４１に取り付けられている。このように、仕切板４３が、ケーシング４０内に空間を上下に仕切ることにより、後述の上部通路５２Ａ及び下部通路５２Ｂが形成される。
【００３３】
この仕切板４３の下方には、複数（本実施形態では、８本）のフラッシュランプ３８が設けられている。フラッシュランプ３８は、その軸方向（長手方向）両端部が、仕切板４３に設けられた支持部４５に支持されている。フラッシュランプ３８は、その軸方向が、記録媒体Ｐの搬送方向と直交する方向に沿って配置され、複数のフラッシュランプ３８は、記録媒体Ｐの搬送方向に沿って配列されている。
【００３４】
なお、本実施形態では、フラッシュランプ３８は８本設けられているが、フラッシュランプ３８の本数としては、これに限られず、１本〜７本であってもよく、また、９本以上設けられる構成であってもよい。
【００３５】
フラッシュランプ３８は、筒状のガラス管３９と、そのガラス管の両端部に設けられた第１電極部４２Ａ、第２電極部４２Ｂを備えている。このフラッシュランプ３８では、電源（図示省略）から電力が供給されて第１電極部４２Ａ、第２電極部４２Ｂの間に高電圧をかけ、ガラス管内でプラズマ放電を起こさせて発光する構成となっている。
【００３６】
この発光により生じた閃光を、照射領域で記録媒体Ｐへ照射して、記録媒体Ｐに転写されたトナー画像を記録媒体Ｐへ定着させる。
【００３７】
ケーシング４０には、仕切板４３とフラッシュランプ３８との間に、フラッシュランプ３８から照射された閃光を照射領域へ反射させる反射板４４が設けられている。
【００３８】
フラッシュランプ３８は、ガラス管３９の全周から法線方向へ閃光が放射されるため、照射領域と反対側にも閃光が放射される。反射板４４は、記録媒体Ｐへ効率よく閃光が照射されるように、照射領域の反対側へ放射される閃光を照射領域へ反射させる。
【００３９】
また、ケーシング４０の下部の開口部４０Ａには、ガラス板４６が設けられている。ガラス板４６は、ケーシング４０の下部に設けられたガラス枠体４７にはめ込まれて支持されている。ガラス板４６は、フラッシュランプ３８からの閃光を透過すると共に、フラッシュランプ３８への塵埃（トナー昇華によるガス等）が付着するのを防止する。
【００４０】
（本実施形態に係るフラッシュランプ３８を冷却する冷却機構）
次に、本実施形態に係るフラッシュランプ３８を冷却する冷却機構について説明する。
【００４１】
本実施形態に係る冷却機構５０は、フラッシュランプ３８の長手方向に沿って、フラッシュランプ３８の第１電極部４２Ａからの第２電極部４２Ｂへ空気が通風可能な通風路５２を備えている。
【００４２】
通風路５２は、ケーシング４０の内壁、仕切板４３及びガラス板４６により囲まれた内部空間に形成されており、通風路５２の上流には、外気が流入可能な流入口５４が設けられている。
【００４３】
通風路５２は、仕切板４３の上側で、流入口５４から第１電極部４２Ａのある位置まで延びる上部通路５２Ａと、上部通路５２Ａから折り返し、仕切板４３の下側で第１電極部４２Ａからの第２電極部４２Ｂへ延びる下部通路５２Ｂとを備えて構成されている。
【００４４】
通風路５２は、上部通路５２Ａから下部通路５２Ｂに折り返す折り返し部分で、第１電極部４２Ａに対して、垂直に通風させて、第１電極部４２Ａに垂直に風があたるようになっている。
【００４５】
下部通路５２Ｂでは、空気は、フラッシュランプ３８に沿って通過し、支持部４５のあるフラッシュランプ３８の上側では、空気が支持部４５の脇から回り込み、フラッシュランプ３８と反射板４４との間を通過する。
【００４６】
下部通路５２Ｂは、第２電極部４２Ｂの下流側で下方に屈曲しており、下部通路５２Ｂの下流側には、流入口５４から外気を通風路５２へ流入させる吸引手段としてのブロア５６が設けられている。
【００４７】
ブロア５６の下流側には、下部通路５２Ｂに、画像形成装置１０の外へ空気を流出可能な流出口５９が設けられている。
【００４８】
ブロア５６は、回転駆動することにより、流出口５９から装置外へ空気を排出し、通風路５２内を負圧とすることにより、流入口５４から外気を吸引して、流入口５４から外気を通風路５２へ流入させる構成となっている。
【００４９】
また、仕切板４３には、第２電極部４２Ｂへ導風可能な導風口５８が形成されている。導風口５８は、第２電極部４２Ｂの部分で、上部通路５２Ａと下部通路５２Ｂとを通じさせている。
【００５０】
下部通路５２Ｂには、導風口５８から下部通路５２Ｂへ突設された導風板６０が設けられている。導風板６０は、斜め下方に第２電極部４２Ｂ側へ傾斜しており、第２電極部４２Ｂに対して斜めに形成されている。空気は、物体に沿って流れる性質があるため、導風板６０により、空気は、上部通路５２Ａから第２電極部４２Ｂへ導ちびかれる。
【００５１】
導風口５８が小さいと、第１電極部４２Ａ側へ流れる風の風量が多くなり、導風口５８を流れる風量が少なくなる。そのため、図４に示すように、導風口５８を大きくし、第１電極部４２Ａ側へ流れる風の風量及び導風口５８を流れる風量のバランスを調整することも可能である。
【００５２】
（本実施形態の作用）
次に、上記の実施形態について作用を説明する。
【００５３】
本実施形態の構成によれば、フラッシュランプ３８を発光させて、閃光を記録媒体Ｐに照射し、記録媒体Ｐ上のトナー画像を定着させる。このように、フラッシュランプ３８が発光するため、フラッシュランプ３８は発熱する。特に、フラッシュランプ３８の長手方向両端部にある第１電極部４２Ａ及び第２電極部４２Ｂが、高温となる。
【００５４】
本実施形態に係る冷却機構５０のブロア５６を駆動すると、流入口５４から外気が流入し、流入口５４から流入した空気が、上部通路５２Ａを通って、第１電極部４２Ａへ流れる。第１電極部４２Ａへ流れた空気は、通風路５２の折り返し部分で、第１電極部４２Ａに対して垂直に当たり、第１電極部４２Ａを冷却する。第１電極部４２Ａで折り返した空気は、下部通路５２Ｂを通ることにより、フラッシュランプ３８を冷却し、第２電極部４２Ｂへ流れる。
【００５５】
また、流入口５４から流入した空気は、導風板６０に導かれ、導風口５８から第２電極部４２Ｂへも流れる。第２電極部４２Ｂへ流れた空気は、第２電極部４２Ｂに当たって第２電極部４２Ｂを冷却する。
【００５６】
第１電極部４２Ａで折り返した空気と、導風口５８を通過した空気は、合流して、流出口５９へ流れ、装置外へ排出される。
【００５７】
第１電極部４２Ａで折り返した空気は、第１電極部４２Ａ及びフラッシュランプ３８のガラス管３９で暖められるため、第２電極部４２Ｂの冷却が不十分となる。また、第１電極部４２Ａで折り返した空気は、支持部４５が邪魔になり、第２電極部４２Ｂに風があたりにくく、第２電極部４２Ｂの冷却が不十分となる。
【００５８】
本実施形態では、導風口５８を形成することで別の流路を設け、導風板６０により、導風口５８を通過した空気を、第２電極部４２Ｂに当てる。導風口５８を通過する空気は、第１電極部４２Ａ及びフラッシュランプ３８のガラス管３９の部分を通過していないので、冷えており、支持部４５が邪魔になることもない。これにより、下流側の第２電極部４２Ｂも冷却され、フラッシュランプ３８の電極部の冷却を促進できる。
（本実施形態に係る冷却機構の第１変形例）
次に、上記の実施形態に係る冷却機構５０を変形した第１変形例を説明する。図５には、第１変形例の構成が示されている。図６（Ａ）には、第１変形例の構成における空気の流れが示され、図６（Ｂ）には、上記の実施形態の構成における空気の流れが示されている。
【００５９】
第１変形例では、図５に示すように、導風板６０は、斜め下方に第２電極部４２Ｂ側へ傾斜し、導風板６０の先端部は下部通路５２Ｂに対して垂直に形成されている。この先端部は、第２電極部４２Ｂに対しても垂直となっており、第２電極部４２Ｂの直近まで延び設けられている。
【００６０】
第１変形例の構成によれば、第２電極部４２Ｂに対して、空気が垂直に当たるので、第２電極部４２Ｂの冷却効果が高まる。
【００６１】
また、図６（Ａ）に示すように、導風板６０の先端部を下部通路５２Ｂに対して垂直にすることにより、下部通路５２Ｂを流れる空気につられて、導風口５８から空気が引っ張られる（エントレインメント原理による）。これにより、導風口５８から空気が下部通路５２Ｂへ流れ、第２電極部４２Ｂに空気が効率よく当たる。
【００６２】
上記の実施形態のように、導風板６０を単に斜めにした構成では、図６（Ｂ）に示すように、導風板６０の先端部のエッジに空気が当たり、導風口５８から下部通路５２Ｂへ空気が引っ張られにくく、空気が第１電極部４２Ａ側へ流れる傾向が強くなる（図３参照）。また、導風板６０を単に斜めにした構成において、図４に示すように、導風口５８を広げると、空気が導風口５８を流れる傾向が強くなり、第１電極部４２Ａ側へ空気が流れにくくなる。このため、上記の実施形態の構成では、第１電極部４２Ａ側及び導風口５８側の両方に空気を流すためには、導風口５８の大きさなどの微調整が要求されてしまう。
【００６３】
これに対して、第１変形例の構成では、下部通路５２Ｂを流れる空気につられて、導風口５８から空気が引っ張られるので、簡易な構成で、第１電極部４２Ａ側及び導風口５８側の両方に空気を流すことができる。
【００６４】
なお、第１変形例では、導風板６０の先端部、すなわち、導風板６０の一部が下部通路５２Ｂ及び第２電極部４２Ｂに対して垂直となっていたが、全部が垂直となっている構成であってもよい。
【００６５】
また、導風板６０は、下部通路５２Ｂに対して垂直となっていたが、下部通路５２Ｂを流れる空気につられて、導風口５８から空気が引っ張られる現象が生じる限りにおいては、垂直でなくても良い。
【００６６】
また、導風板６０の形状は、下部通路５２Ｂを流れる空気につられて、導風口５８から空気が引っ張られる現象が生じる限りにおいては、例えば、円弧状であってもよく、その形状は、第１変形例で示したものに限られない。
（本実施形態に係る冷却機構の第２変形例）
次に、上記の実施形態に係る冷却機構５０を変形した第２変形例を説明する。図７には、第２変形例の構成が示されている。
【００６７】
上記の実施形態では、流入口５４と流出口５９とを、フラッシュ定着装置３０の同じ側に設け、流入口５４から流入した空気を折り返してから流出口５９へ流す構成であってが、第２変形例は、流出口５９がある側と反対側に、流入口５４を設け、流入口５４から流入した空気を一方向へ流す構成である。
【００６８】
第２変形例では、フラッシュ定着装置３０の一端部（装置の後方）に流出口５９が形成され、フラッシュ定着装置３０の他端部（装置の前方）に流入口５４が形成されている。
【００６９】
第２変形例に係る通風路５２は、仕切板４３の下側で第１電極部４２Ａからの第２電極部４２Ｂへ延びる下部通路５２Ｂと、仕切板４３の上側で流入口５４から第２電極部４２Ｂまで延び下部通路５２Ｂと合流する上部通路５２Ａとを備えて構成されている。
【００７０】
また、仕切板４３には、第２電極部４２Ｂへ導風可能な導風口５８が形成されている。導風口５８は、第２電極部４２Ｂの部分で、上部通路５２Ａと下部通路５２Ｂとを通じさせている。
【００７１】
下部通路５２Ｂには、導風口５８から下部通路５２Ｂへ突設された導風板６０が設けられている。導風板６０は、斜め下方に傾斜し、先端部が、第２電極部４２Ｂに対して垂直に形成されている。
【００７２】
第２変形例の構成によれば、流入口５４から外気が流入し、流入口５４から流入した空気は、上部通路５２Ａと下部通路５２Ｂとに流れる。下部通路５２Ｂに流れた空気は、フラッシュランプ３８に沿って流れ、第１電極部４２Ａ及びフラッシュランプ３８のガラス管３９を冷却する。
【００７３】
上部通路５２Ａに流れた空気は、導風板６０により、導風口５８から第２電極部４２Ｂへ流れる。第２電極部４２Ｂへ流れた空気は、第２電極部４２Ｂに垂直に当たって第２電極部４２Ｂを冷却する。
【００７４】
第２変形例では、上部通路５２Ａ及び導風口５８を形成することで別の流路を設け、導風口５８を通過した空気を、第２電極部４２Ｂに当てる。導風口５８を通過する空気は、第１電極部４２Ａ及びフラッシュランプ３８のガラス管３９の部分を通過していないので、冷えており、支持部４５が邪魔になることもない。これにより、下流側の第２電極部４２Ｂも冷却され、フラッシュランプ３８の電極部の冷却を促進できる。
【００７５】
本発明は、本実施形態に限るものではなく、種々の変形、変更、改良が可能である。
【図面の簡単な説明】
【００７６】
【図１】図１は、本発明の実施形態に係る画像形成装置の全体構成を示す概略図である。
【図２】図２は、本実施形態に係るフラッシュ定着装置をフラッシュランプの軸方向から見た部分断面図である。
【図３】図３は、本実施形態に係るフラッシュ定着装置をフラッシュランプの軸方向と直交する方向から見た部分断面図である。
【図４】図４は、本実施形態に係るフラッシュ定着装置において、導風口を広げた後世を示す図である。
【図５】図５は、本実施形態に係るフラッシュ定着装置における第１変形例を示す図である。
【図６】図６（Ａ）は、図５に示したフラッシュ定着装置における空気の流れを示す図であり、  図６（Ｂ）は、図３に示したフラッシュ定着装置における空気の流れを示す図である。
【図７】図７は、本実施形態に係るフラッシュ定着装置における第２変形例を示す図である。
【符号の説明】
【００７７】
１０   画像形成装置
３０   フラッシュ定着装置
３８   フラッシュランプ
４２Ａ 電極部
４２Ｂ 電極部
５２   通風路
５４   流入口
５６   ブロア（吸引手段）
５８   導風口
６０   導風板
【図１】
2008089739.tif 000003
【図２】
2008089739.tif 000004
【図３】
2008089739.tif 000005
【図４】
2008089739.tif 000006
【図５】
2008089739.tif 000007
【図６】
2008089739.tif 000008
【図７】
2008089739.tif 000009